(57)【要約】  【課題】  不使用時に衣服として使用することのできるバッグを提供する。  【解決手段】  バッグ１は、袋状のバッグ本体２と、バッグ本体２の上部に設けられる一対の持ち手３とを備える。バッグ本体２の底部には、開閉可能なファスナー４が設けられており、バッグ１の使用状態では、ファスナー４が閉めた状態とされ、バッグ１の不使用時には、ファスナー４が開いた状態とされる。【選択図】  図１
0003208468.tif 000002
【実用新案登録請求の範囲】
【請求項１】
袋状のバッグ本体と、前記バッグ本体の上部に設けられる一対の持ち手とを備えたバッグであって、
前記バッグ本体の底部には、開閉可能なファスナーが設けられており、前記バッグの使用状態では、前記ファスナーが閉めた状態とされ、前記バッグの不使用時には、前記ファスナーが開いた状態とされる、バッグ。
【請求項２】
前記バッグの右側部分と左側部分とは互いに異なる色を有する、請求項１に記載のバッグ。
【考案の詳細な説明】
【技術分野】
【０００１】
本考案は、不使用時に衣服として使用できるバッグに関する。
【背景技術】
【０００２】
従来から、様々なバッグが一般に使用されている。例えば、買い物にいくときに購入した商品をいれるためにトートバッグが使用される（例えば特許文献１参照）。
【先行技術文献】
【特許文献】
【０００３】
【特許文献１】特開２０１４−１６１５５９号公報
【考案の概要】
【考案が解決しようとする課題】
【０００４】
トートバッグでは、不使用時に（トートバッグに入れる商品がない状態で）、利用者がどのように携帯するかが問題となる。例えば、トートバッグを折り畳んで携帯することも考えられるが、その場合、折り畳んだトートバッグをどのように携帯するかという問題が生じる。さらに別のバッグを携帯して、折り畳んだトートバッグをそのバッグのなかに入れることも可能であるが、その場合、別のバッグを携帯する必要がある。一方、そのようなバッグ（別のバッグ）を携帯しない場合には、折り畳んだバッグを素手で携帯しなくてはならないという問題がある。
【０００５】
本考案は、上記の課題に鑑みてなされたもので、不使用時に衣服として使用できるバッグを提供することを目的とする。
【課題を解決するための手段】
【０００６】
本考案のバッグは、袋状のバッグ本体と、バッグ本体の上部に設けられる一対の持ち手とを備えたバッグであって、バッグ本体の底部には、開閉可能なファスナーが設けられており、バッグの使用状態では、ファスナーが閉めた状態とされ、バッグの不使用時には、ファスナーが開いた状態とされる。
【０００７】
この構成によれば、バッグの使用時には、バッグ本体の底部のファスナーを閉めた状態にすることにより、バッグとして使用することができる。さらに、バッグの不使用時には、バッグ本体の底部のファスナーを開いた状態とすることにより、衣服として使用することができる。このようにして、バッグの不使用時には、バッグを衣服として着用することができ、従来のように折り畳んだバッグを素手で携帯したり、折り畳んだバッグを入れるための別のバッグを携帯する必要がない。
【０００８】
また、本考案のバッグでは、バッグの右側部分と左側部分とは互いに異なる色を有してもよい。
【０００９】
この構成によれば、バッグの使用時（バッグとして使用している時）には、バッグの左右で違う色が見えるようになり、バッグの不使用時（衣服として使用している時）には、衣服の前後で違う色が見えるようになる。
【考案の効果】
【００１０】
本考案によれば、不使用時に衣服として使用することができる。
【図面の簡単な説明】
【００１１】
【図１】本考案の実施の形態におけるバッグ（ファスナーを閉めた状態）の正面図である。
【図２】本考案の実施の形態におけるバッグ（ファスナーを閉めた状態）の側面図である。
【図３】本考案の実施の形態におけるバッグ（ファスナーを開いた状態）の正面図である。
【図４】本考案の実施の形態におけるバッグ（ファスナーを開いた状態）の側面図である。
【図５】本考案の実施の形態におけるバッグ（ファスナーを開いた状態）の上面図である。
【考案を実施するための形態】
【００１２】
以下、本考案の実施の形態のバッグついて、図面を用いて説明する。本実施の形態では、買い物用のトートバッグ等に用いられるバッグの場合を例示する。
【００１３】
本考案の実施の形態のバッグの構成を、図面を参照して説明する。図１および図２は、本実施の形態のバッグ（ファスナーを閉めた状態）を示す図である。また、図３〜図５は、本実施の形態のバッグ（ファスナーを開いた状態）を示す図である。
【００１４】
図１および図２に示すように、本実施の形態のバッグ１は、袋状のバッグ本体２と、バッグ本体２の上部に設けられる一対の持ち手３を備えており、バッグ本体２の底部には、開閉可能なファスナー４が設けられている。また、本実施の形態のバッグ１では、バッグ１の右側部分（図１における右半分の部分）と左側部分（図１における左半分の部分）とは互いに異なる色が付けられている。
【００１５】
図１および図２に示すように、バッグ１の使用時には、ファスナー４を閉めた状態（バッグ１の使用状態）とする。この状態では、買い物で購入した商品などをバッグ本体２に入れることが可能となり、バッグとしての使用することができるようになる。
【００１６】
図３〜図５に示すように、バッグ１の不使用時には、ファスナー４を開いた状態（バッグ１の不使用状態）とする。この状態では、バッグ本体２の底部の開口部５から頭を入れて、バッグ本体２の上側の開口部６から頭を出し、持ち手３の下側の開口部７から腕を出すことができ、衣服として着用することができる。
【００１７】
このような本考案の実施の形態のバッグ１によれば、バッグ１の使用時には、バッグ本体２の底部のファスナー４を閉めた状態にすることにより、バッグとして使用することができる。さらに、バッグ１の不使用時には、バッグ本体２の底部のファスナー４を開いた状態とすることにより、衣服として使用することができる。このようにして、バッグ１の不使用時には、バッグ１を衣服として着用することができ、従来のように折り畳んだバッグ１を素手で携帯したり、折り畳んだバッグ１を入れるための別のバッグを携帯する必要がない。
【００１８】
また、本実施の形態では、バッグ１の使用時（バッグとして使用している時）には、バッグ１の左右（図１における左右）で違う色が見えるようになり、バッグ１の不使用時（衣服として使用している時）には、衣服の前後（図４における左右、図５における上下）で違う色が見えるようになる。
【００１９】
以上、本考案の実施の形態を例示により説明したが、本考案の範囲はこれらに限定されるものではなく、請求項に記載された範囲内において目的に応じて変更・変形することが可能である。
【産業上の利用可能性】
【００２０】
以上のように、本考案にかかるバッグは、不使用時に衣服として使用することができるという効果を有し、買い物用のトートバッグ等として有用である。
【符号の説明】
【００２１】
１  バッグ
２  バッグ本体
３  持ち手
４  ファスナー
５  開口部
６  開口部
７  開口部
【図１】
0003208468.tif 000003
【図２】
0003208468.tif 000004
【図３】
0003208468.tif 000005
【図４】
0003208468.tif 000006
【図５】
0003208468.tif 000007